(57)【要約】【解決手段】本発明は、無線タグ・カードが共に装着可能なホルダー付きコンテナーＣにおいて、ホルダーＨの水平載置フランジｈ１の垂直中心線を挟んで位置する水平載置フランジの両側のうちの一方の側に、無線タグ保持部材Ｈ’を形成するとともに、もう一方の側に、カード保持部材Ｈ”を形成し、また、コンテナーにホルダーが取り付けられた際には、コンテナーの側壁とホルダーとの間に、カードＬを配置するように構成したものである。【効果】無線タグの取り付け・取り出し作業の作業性が向上するとともに、カードのコンテナーからの離脱を防止することができる。【選択図】図７
2014125233.tif 000002
【特許請求の範囲】
【請求項１】
無線タグ・カードが共に装着可能なホルダー付きコンテナーにおいて、ホルダーの水平載置フランジの垂直中心線を挟んで位置する水平載置フランジの両側のうちの一方の側に、無線タグ保持部材を形成するとともに、もう一方の側に、カード保持部材を形成し、また、コンテナーにホルダーが取り付けられた際には、コンテナーの側壁とホルダーとの間に、カードを配置するように構成したことを特徴とする無線タグ・カードが共に装着可能なホルダー付きコンテナー。
【発明の詳細な説明】
【技術分野】
【０００１】
本発明は、コンテナーに収納される物品の製造側の情報や、物品が収容されたコンテナーの流通側の情報等を、書き込み・読み出し可能な無線タグと、該無線タグに蓄積された情報が表示されたカードが、共に、装着可能なホルダーが取り付けられるコンテナーに関するものである。
【背景技術】
【０００２】
従来、無線タグとカードとの両方が、装着可能なホルダー付きコンテナーが、特許文献１に開示されている。
【０００３】
コンテナーに収納される物品の製造側の情報が蓄積された無線タグは、物品の製造側において必要とされる情報であり、また、物品が収容されたコンテナーの流通側に必要な情報は、物品の製造側の情報が蓄積された無線タグから、流通側に必要な情報だけを選択的に表示したカードを作製することが、従来、行われている。そして、物品の製造側から、物品が収容されたコンテナーを出荷する際には、コンテナーのホルダーから、物品の製造側の情報が蓄積された無線タグを取り外し、ホルダーに、流通側に必要な情報だけが蓄積されたカードが配設されたコンテナーを出荷することが行われている。
【０００４】
【特許文献１】特開２０１０ー１６３１８６号公報
【発明の開示】
【発明が解決しようとする課題】
【０００５】
上述したように、製造側からの流通側への出荷時には、コンテナーに取り付けられたホルダーから、無線タグを取り外し、また、製造側に戻ってきた空のコンテナーのホルダーに、無線タグを取り付けることが行われているが、従来の無線タグ・カードが共に装着可能なホルダー付きコンテナーにおいては、カードの背後に、無線タグが配置されているために、ホルダーからの無線タグの取り外し作業の作業性が悪いという問題があった。
【０００６】
上述した従来の無線タグ・カードが共に装着可能なホルダー付きコンテナーにおいては、無線タグを、頻繁に、ホルダーから取り外したり、また、ホルダーに無線タグを取り付けることが想定されていなかったので、ホルダーへの無線タグの取り付け作業やホルダーからの無線タグの取り外し作業の作業性が悪いという問題があった。
【０００７】
本発明の目的は、上述した従来の無線タグ・カードが共に装着可能なホルダー付きコンテナーが有する課題を解決することにある。
【課題を解決するための手段】
【０００８】
本発明は、上述した目的を達成するために、無線タグ・カードが共に装着可能なホルダー付きコンテナーにおいて、ホルダーの水平載置フランジの垂直中心線を挟んで位置する水平載置フランジの両側のうちの一方の側に、無線タグ保持部材を形成するとともに、もう一方の側に、カード保持部材を形成し、また、コンテナーにホルダーが取り付けられた際には、コンテナーの側壁とホルダーとの間に、カードを配置するように構成したものである。
【発明の効果】
【０００９】
無線タグ・カードが共に装着可能なホルダー付きコンテナーにおいて、ホルダーの水平載置フランジの垂直中心線を挟んで位置する水平載置フランジの両側のうちの一方の側に、無線タグ保持部材を形成するとともに、もう一方の側に、カード保持部材を形成し、また、コンテナーにホルダーが取り付けられた際には、コンテナーの側壁とホルダーとの間に、カードを配置するように構成したので、無線タグの取り付け・取り出し作業の作業性が向上するとともに、カードのコンテナーからの離脱を防止することができる。
【図面の簡単な説明】
【００１０】
【図１】図１は、本発明の無線タグ・カードが共に装着可能なホルダー付きコンテナーの斜視図である。
【図２】図２は、本発明の無線タグ・カードが共に装着可能なホルダー付きコンテナーに取り付けられるホルダーの斜視図である。
【図３】図３は、同じく、本発明の無線タグ・カードが共に装着可能なホルダー付きコンテナーに取り付けられるホルダーの斜視図である。
【図４】図４は、本発明の無線タグ・カードが共に装着可能なホルダー付きコンテナーとホルダーの分解斜視図である。
【図５】図５は、本発明の無線タグ・カードが共に装着可能なホルダー付きコンテナーにホルダーが取り付けられた状態の斜視図である。
【図６】図６は、本発明の無線タグ・カードが共に装着可能なホルダー付きコンテナーに無線タグを取り付ける状態を説明するための斜視図である。
【図７】図７は、本発明の無線タグ・カードが共に装着可能なホルダー付きコンテナーに無線タグ及びカードが取り付けられた状態の斜視図である。
【図８】図８は、本発明の無線タグ・カードが共に装着可能なホルダー付きコンテナーの別の実施例の斜視図である。
【図９】図９は、本発明の別の実施例の無線タグ・カードが共に装着可能なホルダー付きコンテナーを構成するホルダーの斜視図である。
【実施例】
【００１１】
以下に、本発明の実施例について説明するが、本発明の趣旨を越えない限り、何ら、本実施例に限定されるものではない。
【００１２】
先ず最初に、図１を用いて、無線タグ・カードが共に装着可能なホルダー付きコンテナーＣについて説明する。
【００１３】
コンテナーＣは、周知のように、底部ｃ１と４つの側壁ｃ２とから構成されている。また、側壁ｃ２の下端部には、下端水平フランジｃ３が形成されており、側壁ｃ２の上端部には、上端水平フランジｃ４が形成されており、更に、上端水平フランジｃ４の近くには、上部中間水平フランジｃ５が形成されている。
【００１４】
上端水平フランジｃ４の先端部と上部中間水平フランジｃ５の先端部とは、側壁ｃ２に平行な持ち手用前板ｃ６ａにより連結されているとともに、持ち手用前板ｃ６ａの両端部と側壁ｃ２とは、側壁ｃ２に垂直な相対する持ち手用側板ｃ６ｂにより連結されている。また、側壁ｃ２と持ち手用前板ｃ６ａと相対する持ち手用側板ｃ６ｂとにより囲まれた上部中間水平フランジｃ５には、手持ち用開口（図示されていない。）が形成されており、側壁ｃ２と、持ち手用前板ｃ６ａと、相対する持ち手用側板ｃ６ｂと、上部中間水平フランジｃ５に形成された手持ち用開口とにより、周知の持ち手部材ｃ６が形成されている。
【００１５】
下端水平フランジｃ３の中央領域には、所定の間隔を置いて、一対の嵌合凹部或いは嵌合孔（以下、単に、嵌合凹部という。）ｃ７が形成されている。また、嵌合凹部ｃ７の中間部に位置する側壁ｃ２には、下端水平フランジｃ３に接近して、規制突起ｃ８が突設されている。
【００１６】
また、側壁ｃ２の両端部付近に形成された、相対する側部垂直フランジｃ９と、側壁ｃ２とにより形成された隅部の下端水平フランジｃ３に接近した部分には、平面形状が略Ｌ字状の水平状規制片ｃ１０が形成されている。
【００１７】
次に、図２及び図３を用いて、コンテナーＣに取り付けられる、一体成形された無線タグ・カードが共に装着可能なホルダー（以下、単に、ホルダーという。）Ｈについて説明する。
【００１８】
ホルダーＨは、上述したコンテナーＣの側壁ｃ２と、下端水平フランジｃ３と、上部中間水平フランジｃ５と、側壁ｃ２の両端部付近に形成された、相対する側部垂直フランジｃ９とにより形成されたホルダー取り付け部Ｃ’に取り付けられるように構成されている。
【００１９】
ホルダーＨには、コンテナーＣの下端水平フランジｃ３に載置される帯状の水平載置フランジｈ１が形成されている。水平載置フランジｈ１の垂直中心線を挟んで位置する水平載置フランジｈ１の両側のうちの一方の側には、無線タグ保持部材Ｈ’が形成されており、無線タグ保持部材Ｈ’は、水平載置フランジｈ１に略垂直な正面形状が略方形状の押圧垂直板ｈ２と、水平載置フランジｈ１の先端から、略垂直に上方に延在する帯状の下部垂直片ｈ３と、下部垂直片ｈ３の端部から、押圧垂直板ｈ２に向かって、押圧垂直板ｈ２まで延在する下部ストッパー片ｈ４とからなる構成されている。水平載置フランジｈ１と、押圧垂直板ｈ２と、下部垂直片ｈ３と、下部ストッパー片ｈ４とにより、板状の無線タグの下端部が挿入される下部保持部Ｈ１が形成されている。なお、ｈ３ａは、下部ストッパー片ｈ４の反対側に位置する下部垂直片ｈ３の端部を、押圧垂直板ｈ２から、離れる方向に傾斜した傾斜案内部である。
【００２０】
押圧垂直板ｈ２の上端部付近には、水平載置フランジｈ１に平行な上部水平板ｈ５が形成されており、また、上部水平板ｈ５の先端から、押圧垂直板ｈ２に平行に、且つ、下方に延在する帯状の上部垂直片ｈ６が形成されており、更に、押圧垂直板ｈ２の垂直端辺ｈ２ａに沿って、下方に延在する上部ストッパー片ｈ７が形成されている。押圧垂直板ｈ２と、上部水平板ｈ５と、上部垂直片ｈ６と、上部ストッパー片ｈ７とにより、板状の無線タグの上端部が挿入される上部保持部Ｈ２が形成されている。なお、ｈ５ａは、上部ストッパー片ｈ７の反対側に位置する上部水平板ｈ５の端部を、押圧垂直板ｈ２から、離れる方向に傾斜した上部水平板側傾斜案内部であり、また、ｈ６ａは、上部ストッパー片ｈ７の反対側に位置する上部垂直片ｈ６の端部を、押圧垂直板ｈ２から、離れる方向に傾斜した上部垂直片側傾斜案内部である。ｈ８は、押圧垂直板ｈ２の中央部領域に穿設された透孔である。
【００２１】
上述したように、水平載置フランジｈ１と押圧垂直板ｈ２と下部垂直片ｈ３と下部ストッパー片ｈ４とからなる下部保持部Ｈ１、及び、押圧垂直板ｈ２と上部水平板ｈ５と上部垂直片ｈ６と上部ストッパー片ｈ７とからなる上部保持部Ｈ２とにより、水平載置フランジｈ１の垂直中心線を挟んで位置する水平載置フランジｈ１の両側のうちの一方の側に、無線タグ保持部材Ｈ’が形成されている。
【００２２】
水平載置フランジｈ１の垂直中心線を挟んで位置する水平載置フランジｈ１の両側のうちのもう一方の側の水平載置フランジｈ１には、下部水平枠ｈ１０と、上部水平枠ｈ１１と、下部水平枠ｈ１０の両端部と上部水平枠ｈ１１の両端部とを連結する一対の側部枠ｈ１２とからなるカード保持部材Ｈ”が形成されている。
【００２３】
カード保持部材Ｈ”の無線タグ保持部材Ｈ’側に位置する側部枠ｈ１２と水平載置フランジｈ１との隅部には、側部枠ｈ１２と水平載置フランジｈ１に連接された、片持ち状のストッパー部材Ｓが形成されている。ストッパー部材Ｓは、板状本体部ｓ１を有しており、また、板状本体部ｓ１の自由端部と水平載置フランジｈ１との間に水平スリットｓ２を形成することにより、板状本体部ｓ１の自由端部には、弾性変形可能な弾性変形部ｓ３が形成されているとともに、弾性変形部ｓ３の自由端部には、下部保持部Ｈ１側で、且つ、無線タグ保持部材Ｈ’の押圧垂直板ｈ２からはみ出すように突出する突出部ｓ４が形成されている。
【００２４】
無線タグ保持部材Ｈ’を、水平載置フランジｈ１の端部まで延在しないように構成することにより、或いは、カード保持部材Ｈ”が、水平載置フランジｈ１の端部まで延在している場合には、カード保持部材Ｈ”の下部水平枠ｈ１０と、外側に位置する側部枠ｈ１２（無線タグ保持部材Ｈ’に対して、反対側に位置する側部枠ｈ１２）との角部に、切欠部ｈ１３を形成することにより、水平載置フランジｈ１の両端部には、係合部ｈ１ａが形成されている。
【００２５】
また、水平載置フランジｈ１の裏面には、コンテナーＣの下端水平フランジｃ３に、所定の間隔を置いて形成された嵌合凹部ｃ７に嵌合される嵌合突部ｈ１４が垂下されている。
【００２６】
図４及び図５に示されているように、コンテナーＣの下端水平フランジｃ３に形成された嵌合凹部ｃ７に、ホルダーＨの水平載置フランジｈ１の裏面に垂下されている嵌合突部ｈ１４を嵌合するとともに、ホルダーＨの水平載置フランジｈ１の両端部に形成されている係合部ｈ１ａを、コンテナーＣの下端水平フランジｃ３と水平状規制片ｃ１０とにより形成される間隙に嵌合させ、更に、ホルダーＨの水平載置フランジｈ１の中央部を、コンテナーＣの下端水平フランジｃ３と規制突起ｃ８とにより形成される間隙に嵌合させる。このようにして、図５に示されているように、コンテナーＣの側壁ｃ２のホルダー取り付け部Ｃ’に、ホルダーＨを取り付ける。このように構成することにより、ホルダーＨの水平載置フランジｈ１の変形やコンテナーＣからの離脱を防止することができる。
【００２７】
コンテナーＣに配設されたホルダーＨに、無線タグＴを取り付ける際には、図６（図６においては、図５におけるコンテナーＣが省略されている。）に示されているように、無線タグＴを、ホルダーＨの無線タグ保持部材Ｈ’を構成する下部保持部Ｈ１の下部垂直片ｈ３に形成されている傾斜案内部ｈ３ａ側と、ホルダーＨの無線タグ保持部材Ｈ’の上部水平板ｈ５に形成されている上部水平板側傾斜案内部ｈ５ａ側と、上部垂直片ｈ６に形成されている上部垂直片側傾斜案内部ｈ６ａ側から、下部保持部Ｈ１及び上部保持部Ｈ２に装着することにより、無線タグＴを、ホルダーＨの無線タグ保持部材Ｈ’に装着する。このように、下部垂直片ｈ３に形成されている傾斜案内部ｈ３ａ側、上部水平板ｈ５に形成されている上部水平板側傾斜案内部ｈ５ａ側及び上部垂直片ｈ６に形成されている上部垂直片側傾斜案内部ｈ６ａ側から、無線タグＴを、ホルダーＨに装着することにより、無線タグＴのホルダーＨの無線タグ保持部材Ｈ’への装着作業の作業性が向上する。
【００２８】
無線タグＴを、ホルダーＨの無線タグ保持部材Ｈ’に装着する過程においては、ホルダーＨに形成されたストッパー部材Ｓの突出部ｓ４が、無線タグ保持部材Ｈ’の押圧垂直板ｈ２から突出するように構成されているので、無線タグＴが、ストッパー部材Ｓの弾性変形部ｓ３を、押圧垂直板ｈ２から離反する方向に弾性変形させることになる。その後、無線タグＴが、下部ストッパー片ｈ４及び上部ストッパー片ｈ７に当接し、無線タグＴが、ホルダーＨの無線タグ保持部材Ｈ’に装着された際には、ストッパー部材Ｓの弾性変形部ｓ３が、弾性変形部ｓ３の弾性復元力により、元に戻り、ストッパー部材Ｓに形成されている突出部ｓ４が、カード保持部材Ｈ”側の垂直端面ｔ１に当接或いは接近して位置するように構成されている。従って、ストッパー部材Ｓにより、無線タグＴのカード保持部材Ｈ”側への移動が阻止され、無線タグＴが、カード保持部材Ｈ”方向に移動し、無線タグＴが、無線タグ保持部材Ｈ’からの排出するようなことを防止することができる。
【００２９】
また、無線タグＴを、無線タグ保持部材Ｈ’から取り出すには、ストッパー部材Ｓの弾性変形部ｓ３を、指で、押圧垂直板ｈ２から離反する方向に弾性変形させて、ストッパー部材Ｓに形成されている突出部ｓ４を、無線タグＴのカード保持部材Ｈ”側の垂直端面ｔ１から外し、その後、無線タグＴを、無線タグ保持部材Ｈ’から取り出すように構成されている。
【００３０】
コンテナーＣが、ホルダーＨに取り付けられた際には、コンテナーＣの側壁ｃ２と無線タグ保持部材Ｈ’の押圧垂直板ｈ２との間に形成されている間隙、及び、コンテナーＣの側壁ｃ２とカード保持部材Ｈ”の上部水平枠ｈ１１との間に形成されている間隙に、カードＬを挿入することにより、カードＬが、コンテナーＣに取り付けられることになる。また、図２や図７等に示されているように、カード保持部材Ｈ”の上部水平枠ｈ１１を、コンテナーＣの側壁ｃ２に接近するように傾斜させて、カードＬを、側壁ｃ２に押し付けるように構成することにより、カードＬの移動を抑制することができる。更に、カードＬを、コンテナーＣの下端水平フランジｃ３、上部中間水平フランジｃ５及び相対する側部垂直フランジｃ９とにより囲まれた上述したホルダー取り付け部Ｃ’と略同じ大きさとすることにより、カードＬの移動を抑制することができる。
【００３１】
上述したように、ホルダーＨの水平載置フランジｈ１の垂直中心線を挟んで位置する水平載置フランジｈ１の両側のうちの一方の側に、無線タグ保持部材Ｈ’を形成するとともに、もう一方の側に、カード保持部材Ｈ”を形成し、また、コンテナーＣにホルダーＨが取り付けられた際には、コンテナーＣの側壁ｃ２とホルダーＨとの間に、カードＬが配置されるように構成されているので、無線タグＴの取り付け・取り出し作業の作業性が向上するとともに、カードＬのコンテナーＣからの離脱を防止することができる。
【００３２】
また、ストッパー部材Ｓを、無線タグ保持部材Ｈ’自体ではなく、カード保持部材Ｈ”の一方の側部枠ｈ１２に配設したので、ストッパー部材Ｓに形成された弾性変形部ｓ３の弾性変形が容易となり、無線タグＴの取り付け・取り出し作業の作業性がより向上する。
【００３３】
更に、無線タグ保持部材Ｈ’を構成する下部保持部Ｈ１と上部保持部Ｈ２との間に、切欠部ｈ１５を形成することにより、無線タグ保持部材Ｈ’の弾性変形が容易となり、従って、コンテナーＣとホルダーＨとの間へのカードＬの挿入作業の作業性が向上する。また、上述したように、無線タグＴを、無線タグ保持部材Ｈ’から取り外す際には、切欠部ｈ１５に指を挿入し、無線タグＴを、カード保持部材Ｈ”側に押し出すことにより、無線タグＴの無線タグ保持部材Ｈ’からの取り出し作業の作業性が向上する。
【００３４】
更にまた、ホルダーＨを、透明樹脂或いは半透明樹脂により、一体成形することにより、カードＬに記載された情報を、視認することができる。
【００３５】
図８には、本発明の別の実施例が示されている。この実施例においては、無線タグ保持部材Ｈ’を構成する押圧垂直板ｈ２のカード保持部材Ｈ”側に位置する上部角部ｈ１６に、押圧垂直板ｈ２のカード保持部材Ｈ”側の垂直端辺ｈ２ｂと上部水平板ｈ５との間に、直線状或いは弧状の手当接防止部ｈ１６を形成したものである。このような手当接防止部ｈ１６を形成したことにより、コンテナーＣの側壁ｃ２に形成されている持ち手部材ｃ６に手を入れる際に、押圧垂直板ｈ２の上部角部ｈ１６が、持ち手部材ｃ６への手の挿入作業を邪魔するようなことを防止することができる。なお、ｈ１７は、コンテナーＣとホルダーＨとの間へのカードＬの挿入作業を容易にするために、上部水平板ｈ５の押圧垂直板ｈ２から遠い方向に位置する部分に突設された指引っかけ突条である。このような指引っかけ突条ｈ１７を形成したので、指を、指引っかけ突条ｈ１７に引っかけて、無線タグ保持部材Ｈ’を、コンテナーＣの側壁ｃ２から離反させることにより、コンテナーＣとホルダーＨとの間へのカードＬの挿入作業の作業性が向上する。
【００３６】
ｈ１８は、押圧垂直板ｈ２側に位置する上部水平板ｈ５の上面に突設されたカード案内突条片であり、このようなカード案内突条片ｈ１８を形成することにより、挿入コンテナーＣの側壁ｃ２と無線タグ保持部材Ｈ’の押圧垂直板ｈ２との間へのカードＬの挿入を容易に行なうことができる。
【００３７】
なお、無線タグＴとして、特開２００２ー２３６８９２号公報や特開２００４ー１２７２７９号公報等に開示されているような、データ表示機能付きの無線タグを使用することができる。
【符号の説明】
【００３８】
Ｃ・・・・・・・・・・・・・・・・コンテナー
Ｈ・・・・・・・・・・・・・・・・ホルダー
Ｈ１・・・・・・・・・・・・・・・下部保持部
Ｈ２・・・・・・・・・・・・・・・上部保持部
Ｈ’・・・・・・・・・・・・・・・無線タグ保持部材
Ｈ”・・・・・・・・・・・・・・・カード保持部材
Ｌ・・・・・・・・・・・・・・・・カード
Ｔ・・・・・・・・・・・・・・・・無線タグ
【図１】
2014125233.tif 000003
【図２】
2014125233.tif 000004
【図３】
2014125233.tif 000005
【図４】
2014125233.tif 000006
【図５】
2014125233.tif 000007
【図６】
2014125233.tif 000008
【図７】
2014125233.tif 000009
【図８】
2014125233.tif 000010
【図９】
2014125233.tif 000011